(57)【要約】【課題】トイレットペーパーロールをベッド等の手すりその他の支柱にロール状のトイレットペーパーを使用できる状態に着脱可能にしかも簡単に取付けうることを目的とする。【解決手段】ロール状のトイレットペーパーを使用できる状態にベッド等の手すりその他の支柱に着脱可能に取付けるためのトイレットペーパーロールホルダーであって、トイレットペーパーロールの中空芯に着脱可能に嵌入しうる円柱状のホルダー本体とこのホルダー本体を手すり等に取付けるためのホルダー固定具との組合わせよりなり、該ホルダー本体はその長手方向一端には該ホルダー本体からのトイレットペーパーロールの抜けを防止するためのキャップを有し、その長手方向他端には該ホルダー本体を回動自在に把持させるための球状物を取付けてあり、また該ホルダー固定具はホルダー本体の球状物を回動自在に把持するための球状物受けおよびホルダー固定具を手すり等に取付けるための固定具を夫々備えていることを特徴とするトイレットペーパーロールホルダー。【選択図】  図４
2004147894.tif 000002
【特許請求の範囲】
【請求項１】
ロール状のトイレットペーパーを使用できる状態にベッド等の手すりその他の支柱に着脱可能に取付けるためのトイレットペーパーロールホルダーであって、トイレットペーパーロールの中空芯に着脱可能に嵌入しうる円柱状のホルダー本体とこのホルダー本体を手すり等に取付けるためのホルダー固定具との組合わせよりなり、該ホルダー本体はその長手方向一端には該ホルダー本体からのトイレットペーパーロールの抜けを防止するためのキャップを有し、その長手方向他端には該ホルダー本体を回動自在に把持させるための球状物を取付けてあり、また該ホルダー固定具はホルダー本体の球状物を回動自在に把持するための球状物受けおよびホルダー固定具を手すり等に取付けるための固定部を夫々備えていることを特徴とするトイレットペーパーロールホルダー。
【請求項２】
ホルダー本体の円柱状外面にトイレットペーパーロールの回り過ぎを防ぐための回転調整具（ストッパー）を備えている請求項１記載のトイレットペーパーロールホルダー。
【請求項３】
ホルダーにトイレットペーパーロールより繰り出されるペーパーのペーパーカット用カバーを設けた請求項１または２記載のトイレットペーパーロールホルダー。
【請求項４】
トイレットペーパーロールの中空芯に着脱可能に嵌入しうる円柱状のホルダー本体であって、長手方向一端にはトイレットペーパーロールの抜けを防止するためのキャップを有し、長手方向他端には該ホルダー本体を回動自在に把持させるための球状物を取付けてある請求項１から３のいずれか１項記載のトイレットペーパーロールホルダー本体。
【請求項５】
請求項４記載のホルダー本体を手すり等に取付けるためのホルダー固定具であって、ホルダー本体の球状物を回動自在に把持するための球状受けと手すり等に取付けるための固定部とが設けられているホルダー固定具。
【請求項６】
ホルダー本体および／またはホルダー固定具のいずれか一方もしくは双方が合成樹脂製の弾性成型品からなっている請求項１から３までのいずれか１項記載のトイレットペーパーロールホルダー。
【請求項７】
ホルダー固定具の球状受けが、ホルダー本体の球状物を回動自在に弾性嵌合または磁性把持するものである請求項１から３のいずれか１項又は請求項５記載のホルダー固定具。
【請求項８】
ホルダー固定具の固定具が手すり等の径より小さい切欠部を有する環状部から構成される弾性切欠環状体よりなり、手すり等が該切欠部より環状部内に無理嵌合されて手すり等を環状部内に弾性保持するものである請求項１から３のいずれか１項又は請求項５項載のホルダー固定具。
【発明の詳細な説明】
【０００１】
【発明の属する技術分野】
本発明はトイレットペーパーロールを対象物に着脱可能に取付けるためのホルダーに関する。
【０００２】
【従来の技術】
現在市販されているトイレットペーパーは、その大部分がロール状をしており、これは使用する場合、専用のホルダーがないと非常に使い勝手が悪い。この現状のホルダーは、トイレ以外の場所に取付けるのは難しい。
又、最近ティシュペーパータイプの箱入りトイレットペーパーも販売されているが、これはロール状のトイレットペーパーに比べて、値段が高い。
寝たきりの入院患者や老人の大部分が、使い捨ておむつや尿パッドを使用しており、この使い捨ておむつ等の取替えは、通常ベッド等トイレットペーパーを収納するホルダーのない場所で行われている。
この場合、通常の箱入りティシュペーパーを使用すると、湿潤紙力増強剤が入っており、トイレに捨てることができない。
【０００３】
【発明が解決しようとする課題】
上記の各欠点を解消し、トイレットペーパーロールをベッド等の手すりその他の支柱にロール状のトイレットペーパーを使用できる状態に着脱可能に、しかも簡単に取付けうることを目的としてなされたものである。
【０００４】
【課題を解決するための手段】
本発明はロール状のトイレットペーパーを使用できる状態にベッド等の手すりその他の支柱に着脱可能に取付けるためのトイレットペーパーロールホルダーであって、トイレットペーパーロールの中空芯に着脱可能に嵌入しうる円柱状のホルダー本体とこのホルダー本体を手すり等に取付けるためのホルダー固定具との組合わせよりなり、該ホルダー本体はその長手方向一端には該ホルダー本体からのトイレットペーパーロールの抜けを防止するためのキャップを有し、その長手方向他端には該ホルダー本体を回動自在に把持させるための球状物を取付けてあり、また該ホルダー固定具はホルダー本体の球状物を回動自在に把持するための球状物受けおよびホルダー固定具を手すり等に取付けるための固定具を夫々備えていることを特徴とするトイレットペーパーロールホルダーに係わる。
【０００５】
本発明はさらに上記においてホルダー本体の円柱状外面にトイレットペーパーロールの回り過ぎを防ぐための回転調整具（ストッパー）を備えており、およびホルダーにトイレットペーパーロールより繰り出されるペーパーのペーパーカット用カバーを設けたトイレットペーパーロールに係わる。
【０００６】
本発明はまたトイレットペーパーロールの中空芯に着脱可能に嵌入しうる円柱状のホルダー本体であって、長手方向一端にはトイレットペーパーロールの抜けを防止するためのキャップを有し、長手方向他端には該ホルダー本体を回動自在に把持させるための球状物を取付けてあるトイレットペーパーホルダー本体に係わる。
【０００７】
また本発明はホルダー本体を手すり等に取付けるためのホルダー固定具であって、ホルダー本体の球状物を回動自在に把持するための球状受けと手すり等に取付けるための固定具とが設けられているホルダー固定具に係わる
【０００８】
本発明は更にまたホルダー本体および／またはホルダー固定具のいずれか一方もしくは双方が合成樹脂製の弾性成型品からなっているトイレットペーパーロールホルダーに係わる。
【０００９】
本発明はホルダー固定具の球状受けが、ホルダー本体の球状物を回動自在に弾性嵌合するものあるいは磁性体で把持（磁性把持）するもの、およびホルダー固定具の固定部が手すり等の径より小さい切欠部を有する環状部から構成される弾性切欠環状体よりなるもの、手すり等が該切欠部より環状部内に無理嵌合されて手すり等を環状部内に弾性保持するもの等であるホルダー固定具に係わる。
【００１０】
【作用】
トイレットペーパーロールの中空芯に収まる径の円柱状物で、前記円柱状物の長手方向一方の端部には、トイレットペーパーロールの抜けを防止するためのキャップがついており、反対側の端部には、該円柱状物を回転させるための球状物がついているトイレットペーパーロール用ホルダーとすることにより手すり等に簡単に取付けることができる。
前記ホルダーをベッドの手すり等に固定するため、前記ホルダーの球状物を把持する保持部と固定部を有する前記ホルダー固定具とすることにより、手すり等に取付けたトイレットペーパーロールよりトイレットペーパーを容易かつ連続して引出し使用できる。その際前記ロール用ホルダーの円柱部に、トイレットペーパーロールが回り過ぎないように回転調整具が設けられていると更に好ましい。また前記ホルダーに更にペーパーカット用のカバーが設けられていると更に好ましい。
【００１１】
【発明の効果】
ベッド等の手すりに簡単に取付けられるホルダーなので、ロールタイプのトイレットペーパーが特別なホルダーなしにベッド等で使用できる。
【００１２】
【実施例】
以下に本発明の実施例を図面によって説明するが、本発明はこれのみに限定されるものではない。
【００１３】
［実施例１］
図１はトイレットペーパーロールの斜視図を示し１はトイレットペーパーロール、２はその中空芯を示す。
図２のＡはホルダー固定具、図２のＢはホルダー本体を夫々示し、ホルダー固定具３は球状物受け（ホルダー受け）４と手すり等への固定部５の一体構造からなっている。
またホルダー本体６はトイレットペーパーロール回転ストッパー（図示では円柱表面に長手方向に形成された該取手の突条群）１０を備えた中空芯挿入円柱部８と必要に応じ着脱自在のキャップ７とホルダー回転用球状部９との一体構造からなっている。これらホルダー本体およびホルダー固定具は合成樹脂製の弾性成型品からなっている。
【００１４】
図３はホルダーにトイレットペーパーを装着した状態を示し、ホルダー本体６のキャップ７を取り外した円柱部８をその頂部側からトイレットペーパーロールの中空芯２内に弾性嵌入し、中空芯２より上方に突出する円柱部８の段付くびれを有する頂部にこれに適合した凹みを有するキャップ７を弾性嵌合する。
円柱部８の下端に固定された球状部９を固定具３のホルダー受け４に回動自在に弾性嵌合する。また球状部９とホルダー受け４とは磁性体での保持であってもよい。
球状部９の径が円柱部８の径と略等しいかまたは小さい場合にはキャップ７は円柱部８に一体成型されたものであってもよい。この場合にはホルダー本体は球状部９側からトイレットペーパーロールの中空芯２に嵌合することができる。
円柱部８の長さは中空芯２の長さに対応して設定され、通常は同等の長さに成型される。
【００１５】
図４は図３のようにトイレットペーパーを装着したホルダーをベッドの手すりに固定した状態を示している。
ベッドの手すり１３にホルダー固定具の固定部５を弾性嵌合することによって簡単に取付けることができる。必要ならば両者５と１３との間に詰め物パッキングを介在させてもよい。
固定部５は図示の例では手すり１３の径より小さい切欠を有する環状体（リング）は、ホルダー受け４の下部より支出される左右対称の２本の直線部とそれに続いて左右に半円状に張り出している同じく左右対称の半環部とで構成されている。
【図面の簡単な説明】
【図１】トイレットペーパーロールの斜視図である。
【図２】Ａ：ホルダー固定具正面図である。
Ｂ：ホルダー正面図である。
【図３】ホルダーにトイレットペーパーを装着した斜視図である。
【図４】トイレットペーパーを装着したホルダーをベッドの手すりに固定した斜視図である。
【符号の説明】
１…トイレットペーパーロール
２…中空芯
３…ホルダー固定具
４…ホルダー受け
５…手すり等への固定部
６…トイレットペーパーロール用ホルダー本体
７…キャップ
８…中空芯挿入用円柱部
９…ホルダー回転用球状部
１０…トイレットペーパーロール回転ストッパー
１１…ホルダーに装着されたトイレットペーパー
１２…ベッド
１３…ベッドの手すり
【図１】
2004147894.tif 000003
【図２】
2004147894.tif 000004
【図３】
2004147894.tif 000005
【図４】
2004147894.tif 000006